【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段から取り込んだ画像の測光エリアの明るさに応じて、前記撮像手段の露出に関係するパラメータを調整する露出制御手段と、
調整された前記パラメータを使用して、前記撮像手段により取り込まれた画像に含まれる図形コードを解読する図形コード解読手段とを備えるコード読取装置であって、
前記露出制御手段は、前記測光エリアとして初期測光用の初期エリアを用いて前記撮像手段の露出に関係するパラメータを調整することを特徴とするコード読取装置。
【請求項２】
被写体を撮像する撮像手段と、
前記撮像手段から取り込んだ画像の測光エリアの明るさに応じて、前記撮像手段の露出に関係するパラメータを調整する露出制御手段と、
調整された前記パラメータを使用して、前記撮像手段により取り込まれた画像に含まれる図形コードを解読する図形コード解読手段とを備えるコード読取装置であって、
前記露出制御手段は、前記測光エリアとして初期測光用の初期エリアから前記測光エリアを変更することにより、前記図形コードを解読するのに適した明るさの画像を取り込むパラメータに調整することを特徴とするコード読取装置。
【請求項３】
被写体を撮像する撮像手段と、
前記撮像手段から取り込んだ画像の測光エリアの明るさに応じて、前記撮像手段の露出に関係するパラメータを調整する露出制御手段と、
調整された前記パラメータを使用して、前記撮像手段により取り込まれた画像に含まれる図形コードを解読する図形コード解読手段とを備えるコード読取装置であって、
前記露出制御手段は、前記測光エリアとして初期測光用の初期エリアを設定し、該初期エリアの明るさに基づいて前記撮像手段の露出に関係するパラメータを調整し、
前記初期エリアの大きさを変更した測光用のｎ（ｎは１から始まる自然数）番のエリアを設定し、該ｎ番のエリアの明るさを判定し、
該明るさの判定結果に従って該ｎ番のエリアが測光エリアとして採用可能と判定された場合は、該ｎ番のエリアの明るさに基づいて前記撮像手段の露出に関係するパラメータを調整し、該ｎ番のエリアの大きさを変更した測光用のｎ＋１番のエリアを設定して、該ｎ＋１番のエリアの明るさを判定し、
該ｎ番のエリアが測光エリアとして採用不可と判定された場合は、該ｎ番のエリアの大きさを変更した測光用のｎ＋１番のエリアを設定しない制御を繰り返すことを特徴とするコード読取装置。
【請求項４】
前記露出制御手段は、前記ｎ番のエリアが測光エリアとして採用可能と判定された場合でも、該ｎ番のエリアの大きさを変更した測光用のｎ＋１番のエリアを設定しないことを特徴とする請求項３記載のコード読取装置。
【請求項５】
前記撮像手段の露出に関係するパラメータの調整は、調整量０の調整又は前記調整をスキップして該調整を行わないことを含むことを特徴とする請求項１乃至４のいずれか一項に記載のコード読取装置。
【請求項６】
前記測光エリアは、取り込んだ画像内の明るさを検出する領域であることを特徴とする請求項１乃至４のいずれか一項に記載のコード読取装置。
【請求項７】
前記図形コードは、２次元コードであることを特徴とする請求項１乃至６のいずれか一項に記載のコード読取装置。
【請求項８】
前記図形コードは、ＱＲコードであることを特徴とする請求項１乃至７のいずれか一項に記載のコード読取装置。
【請求項９】
前記パラメータは、画像の明るさに影響があるパラメータであることを特徴とする請求項１乃至８のいずれか一項に記載のコード読取装置。
【請求項１０】
前記パラメータは、シャッタースピード、露光時間、ゲイン、又は絞り値のパラメータであることを特徴とする請求項１乃至９のいずれか一項に記載のコード読取装置。
【請求項１１】
前記初期エリアは、前記取り込んだ画像の中央方向に位置することを特徴とする請求項１乃至３のいずれか一項に記載のコード読取装置。
【請求項１２】
前記エリアの大きさの変更は、エリアの大きさの拡大であることを特徴とする請求項３記載のコード読取装置。
【請求項１３】
２次元コードシンボルを読み込み可能な電子機器において、
請求項１乃至１２のいずれか一項に記載のコード読取装置を備えることを特徴とする電子機器。
【請求項１４】
撮像手段から取り込んだ画像の測光エリアの明るさに応じて、該撮像手段の露出に関係するパラメータを調整するパラメータの調整方法において、
前記測光エリアとして初期測光用の初期エリアを設定するステップと、
前記初期エリアの明るさに基づいて前記撮像手段の露出に関係するパラメータを調整するステップと、
該初期エリアの大きさを変更した測光用のｎ（ｎは１から始まる自然数）番のエリアを設定するステップと、
ｎ番のエリアの明るさの指標を評価するステップと、
前記評価結果に従って前記ｎ番のエリアを測光エリアとして採用するか否かを判定するステップと、
前記ｎ番のエリアを採用する場合は、前記ｎ番のエリアの明るさに基づいて前記撮像手段の露出に関係するパラメータを調整するステップ、又はこのステップを飛ばしたことを意味する空のステップと、
該ｎ番のエリアの大きさを変更した測光用のｎ＋１番のエリアを設定するステップと
を有限回繰り返し実行することを特徴とするパラメータの調整方法。
【請求項１５】
撮像手段から取り込んだ画像の測光エリアの明るさに応じて、該撮像手段の露出に関係するパラメータを調整するパラメータの調整方法において、
前記測光エリアとして初期測光用の初期エリアを設定するステップと、
前記初期エリアの明るさに基づいて前記撮像手段の露出に関係するパラメータを調整するステップと、
前記初期エリアを拡張した測光用のｎ（ｎは１から始まる自然数）番のエリアを設定するステップと、
前記ｎ番のエリアに含まれるｍ（ｍは任意の自然数）個の領域を抽出するステップと、  前記ｍ個の領域のうちの任意のＡ領域の明るさの指標を評価するステップであり、前記初期エリアの明るさの指標と前記Ａ領域の明るさの指標とを比較するステップと、
前記比較により明るさ指標の差が所定量以上あるときは、前記Ａ領域は明るさを検出する領域として採用せず、前記ｍ個の領域に含まれるＡ領域を除く領域のそれぞれについて前記Ａ領域と同様な評価を行うステップと、
前記ｍ個の領域に含まれるすべての領域において該採用しない判定がなされなかった場合、該ｎ番のエリアを前記画像内の明るさを検出する領域として採用するステップと
を有することを特徴とするパラメータの調整方法。
【請求項１６】
撮像手段から取り込んだ画像の測光エリアの明るさに応じて、該撮像手段の露出に関係するパラメータを調整するパラメータの調整方法において、
前記測光エリアとして初期測光用の初期エリアを設定するステップと、
前記初期エリアの明るさに基づいて前記撮像手段の露出に関係するパラメータを調整するステップと、
前記初期エリアを拡張した測光用のｎ（ｎは１から始まる自然数）番のエリアを設定するステップと、
前記ｎ番のエリアに含まれるｍ（ｍは任意の自然数）個の領域を抽出するステップと、  前記ｍ個の領域のうちの任意のＡ領域の明るさの指標を評価するステップであり、前記初期エリアの明るさの指標と前記Ａ領域の明るさの指標とを比較するステップと、
前記比較により明るさ指標の差が所定量以上あるときは、前記Ａ領域は明るさを検出する領域として採用せず、前記ｍ個の領域に含まれる前記Ａ領域を除く領域のそれぞれについて前記Ａ領域と同様な評価を行うステップと、
該ｎ番のエリアから前記ｍ個の領域のうち該採用しない判定がなされた領域を除いたエリアを、評価済みｎ番のエリアとして前記画像内の明るさを検出する領域として採用するステップと
を有することを特徴とするパラメータの調整方法。
【請求項１７】
前記初期エリアは、前記取り込んだ画像の中央方向のエリアであることを特徴とする請求項１４乃至１６のいずれか一項に記載のパラメータの調整方法。
【請求項１８】
前記初期エリアは、前記取り込んだ画像の中央方向に位置する矩形エリアであり、  前記ｎ番のエリアは、前記初期エリアを囲む矩形であることを特徴とする請求項１４乃至１７のいずれか一項に記載のパラメータの調整方法。
【請求項１９】
前記ｎ番のエリアに含まれるｍ個の領域は、矩形の前記初期エリアの側面付近にある上下左右の４つの領域であることを特徴とする請求項１５、１６又は１８に記載のパラメータの調整方法。
【請求項２０】
撮像手段から取り込んだ画像の測光エリアの明るさに応じて、該撮像手段の露出に関係するパラメータを調整するパラメータの調整方法において、前記測光エリアとして初期測光用の初期エリアを設定するステップと、前記初期エリアの明るさに基づいて前記撮像手段の露出に関係するパラメータを調整するステップと、該初期エリアの大きさを変更した測光用のｎ番のエリアを設定するステップと、ｎ番のエリアの明るさの指標を評価するステップと、前記評価結果に従って前記ｎ番のエリアを測光エリアとして採用するか否かを判定するステップと、前記ｎ番のエリアを採用する場合は、前記ｎ番のエリアの明るさに基づいて前記撮像手段の露出に関係するパラメータを調整するステップ、又はこのステップを飛ばしたことを意味する空のステップと、該ｎ番のエリアの大きさを変更した測光用のｎ＋１番のエリアを設定するステップとを、コンピュータに有限回繰り返し実行させるためのプログラム。
【請求項２１】
撮像手段から取り込んだ画像の測光エリアの明るさに応じて、該撮像手段の露出に関係するパラメータを調整するパラメータの調整方法において、前記測光エリアとして初期測光用の初期エリアを設定するステップと、前記初期エリアの明るさに基づいて前記撮像手段の露出に関係するパラメータを調整するステップと、前記初期エリアを拡張した測光用のｎ番のエリアを設定するステップと、前記ｎ番のエリアに含まれるｍ個の領域を抽出するステップと、前記ｍ個の領域のうちの任意のＡ領域の明るさの指標を評価するステップであり、前記初期エリアの明るさの指標と前記Ａ領域の明るさの指標とを比較するステップと、前記比較により明るさ指標の差が所定量以上あるときは、前記Ａ領域は明るさを検出する領域として採用せず、前記ｍ個の領域に含まれるＡ領域を除く領域のそれぞれについて前記Ａ領域と同様な評価を行うステップと、前記ｍ個の領域に含まれるすべての領域において該採用しない判定がなされなかった場合、該ｎ番のエリアを前記画像内の明るさを検出する領域として採用するステップとをコンピュータに実行させるためのプログラム。
【請求項２２】
撮像手段から取り込んだ画像の測光エリアの明るさに応じて、該撮像手段の露出に関係するパラメータを調整するパラメータの調整方法において、前記測光エリアとして初期測光用の初期エリアを設定するステップと、前記初期エリアの明るさに基づいて前記撮像手段の露出に関係するパラメータを調整するステップと、前記初期エリアを拡張した測光用のｎ番のエリアを設定するステップと、前記ｎ番のエリアに含まれるｍ個の領域を抽出するステップと、前記ｍ個の領域のうちの任意のＡ領域の明るさの指標を評価するステップであり、前記初期エリアの明るさの指標と前記Ａ領域の明るさの指標とを比較するステップと、前記比較により明るさ指標の差が所定量以上あるときは、前記Ａ領域は明るさを検出する領域として採用せず、前記ｍ個の領域に含まれる前記Ａ領域を除く領域のそれぞれについて前記Ａ領域と同様な評価を行うステップと、該ｎ番のエリアから前記ｍ個の領域のうち該採用しない判定がなされた領域を除いたエリアを、評価済みｎ番のエリアとして前記画像内の明るさを検出する領域として採用するステップとをコンピュータに実行させるためのプログラム。